(57)【特許請求の範囲】
【請求項１】
複数のねじ（３）によって本体（２）に取付けるためのハンドル（１）であって、
２つの受け部（５）を端に有する主要輪郭部品（４）を含み、２つの前記受け部（５）は互いに傾斜するように延在し、前記ハンドルはさらに、
前記複数のねじ（３）を受けるためのそれぞれのねじ穴（７）を有する２つのスロットナット（６）を含み、２つの前記スロットナット（６）の各々はそれぞれの受け部（５）に挿入されるように作られ、２つの前記スロットナット（６）の外側輪郭断面の少なくとも一部は、２つの前記受け部（５）のそれぞれの内側輪郭断面に適合され、
２つの前記スロットナット（６）の各々が、それぞれの受け部（５）に挿入され、前記本体（２）を通過するそれぞれのねじ（３）がそれぞれの前記ねじ穴（７）にねじ込まれる際に締結されると、前記ハンドルは前記本体（２）にしっかりと固定可能であり、複数の引張応力（Ｚ）が前記本体（２）の表面（８）の方向に生成され、しっかりと固着された２つの前記スロットナット（６）間に前記主要輪郭部品（４）がクランプされるようになっており、
前記主要輪郭部品（４）は第１の端部（９）と第２の端部（１０）とを有し、前記第１および第２の端部（９、１０）は互いに向かって傾斜するように延在し、
２つの前記スロットナット（６）のうちの一方は、前記主要輪郭部品（４）の前記第１の端部（９）において摺動可能に搭載され、２つの前記スロットナット（６）のうちの他方は、前記主要輪郭部品（４）の前記第２の端部（１０）において摺動可能に搭載され、
前記主要輪郭部品（４）は第１の湾曲部（１１）と第２の湾曲部（１２）とを有し、前記第１の端部（９）は前記第１の湾曲部（１１）の領域に位置し、前記第２の端部（１０）は前記第２の湾曲部（１２）の領域に位置し、前記主要輪郭部品（４）は、前記第１の湾曲部と前記第２の湾曲部との間において直線状に伸びる部分を有し、
複数の前記引張応力（Ｚ）は、互いに反対でありかつ前記本体（２）の表面（８）と平行に延在する方向に作用する成分（Ｚ１、Ｚ２）を有し、
２つの前記スロットナット（６）の少なくとも一方は台形の長手方向断面を有し、前記スロットナット（６）を摺動可能に受ける対応する受け部（５）も、前記スロットナット（６）の前記台形の長手方向断面に対応する台形の長手方向断面を有し、
前記ねじ穴（７）は、前記少なくとも一方の前記スロットナット（６）を、台形の第１の辺（１３）から前記台形の前記第１の辺とは反対の第２の辺（１４）へと通って延在し、前記ねじ穴（７）の方向と、前記台形の第３の辺（１５）および前記第３の辺とは反対の第４の辺（１６）のそれぞれとが、０を上回りかつ９０度未満の角度（アルファ）を囲むようになっており、
前記ねじ穴（７）の中心軸の方向は、前記台形の前記第１の辺（１３）に対して直角である、ハンドル（１）。
【請求項２】
２つの前記受け部（５）のうちの一方の長手方向断面の少なくとも３つの辺は第１の台形形状を有し、前記第１の台形形状の第１の辺は前記主要輪郭部品（４）の端の開口部に対応し、前記第１の台形形状の前記少なくとも３つの辺はさらに、前記第１の台形の第３の辺および前記第３の辺とは反対の第４の辺を含み、前記第１の台形形状の前記第３および第４の辺は前記受け部（５）の壁部に対応することを特徴とする、請求項１に記載のハンドル（１）。
【請求項３】
２つの前記スロットナット（６）のうちの一方の長手方向断面の少なくとも３つの辺（１３、１５、１６）は第２の台形形状を有し、前記第２の台形形状の第１の辺（１３）は前記ねじ穴（７）を有し、前記ねじ穴（７）は、前記第２の台形の前記第１の辺（１３）から、前記スロットナット（６）の前記第１の辺とは反対の第２の辺（１４）へと延在し、前記第２の台形形状の前記少なくとも３つの辺（１３、１５、１６）はさらに、前記第２の台形の第３の辺（１５）および前記第３の辺とは反対の第４の辺（１６）を含むことを特徴とする、請求項２に記載のハンドル（１）。
【請求項４】
前記スロットナット（６）は、前記主要輪郭部品（４）の端の前記開口部を通って対応する受け部（５）に挿入可能であり、前記対応する受け部（５）において、前記第１および／または第２の台形形状の平行に延在する前記第３および第４の辺の方向（Ｒ１；Ｒ２）に摺動可能に搭載されることを特徴とする、請求項３に記載のハンドル（１）。
【請求項５】
前記ねじ穴（７）の方向は、直角の角度で前記第１および／または第２の台形の前記第１の辺（１３）に実質的に整列され、
前記ねじ穴（７）の方向と、前記第１および／または第２の台形の前記第３の辺（１５）および前記第３の辺とは反対の前記第４の辺（１６）のそれぞれとが、０を上回る、および／または９０度未満の角度（アルファ）を囲むことを特徴とする、請求項２〜４のいずれかに記載のハンドル（１）。
【請求項６】
締結された状態では、２つの前記スロットナット（６）は、２つの前記スロットナット（６）の前記台形の前記第１の辺によって前記本体（２）に面するように、前記ねじ穴にねじ込まれた前記複数のねじ（３）によって固定されており、２つの前記スロットナット（６）の前記台形の長手方向（Ｒ１、Ｒ２）が互いに向かって傾斜し、前記主要輪郭部品（４）が、２つの前記スロットナット（６）の前記台形の前記第３および第４の辺によって、２つの前記スロットナット間にクランプされるようになっていることを特徴とする、請求項２〜５のいずれかに記載のハンドル（１）。
【請求項７】
２つの前記スロットナット（６）のうちの第１のスロットナットは、２つの前記受け部（５）のうちの第１の受け部に、前記第１のスロットナット（６）が前記第１の受け部（５）において前記受け部（５）の第１の方向（Ｒ１）に摺動可能であるように端で挿入可能であり、
２つの前記スロットナット（６）のうちの第２のスロットナットは、２つの前記受け部（５）のうちの第２の受け部に、前記第２のスロットナット（６）が前記第２の受け部（５）において前記受け部（５）の第２の方向（Ｒ２）に摺動可能であるように端で挿入可能であり、
前記第１の方向（Ｒ１）と前記第２の方向（Ｒ２）とは互いに向かって傾斜することを特徴とする、請求項１〜６のいずれかに記載のハンドル（１）。
【請求項８】
前記第１の方向（Ｒ１）と前記第２の方向（Ｒ２）とは、実質的に３０〜１２０度、好ましくは５０〜１００度の角度を囲むことを特徴とする、請求項７に記載のハンドル（１）。
【発明の詳細な説明】
【技術分野】
【０００１】
この発明は、本体に締結可能なハンドルに関する。
【背景技術】
【０００２】
ハンドルは、複数の異なる目的のために使用される。たとえば、工作機械のドア／フラップにハンドルを設けることが可能であり、それにより、人はドア／フラップを開けることができる。これに関連して、シンプルなデザインを有し、わずかな労力で同時に搭載可能であり、かつ、本体に締結後、しっかりと安定した態様で固定される、ハンドルが望ましい。
【発明の概要】
【課題を解決するための手段】
【０００３】
この目的を達成するために、この発明は、請求項１に記載のハンドルを提供する。この発明の好ましい実施形態およびさらなる局面は、副請求項において見出される。
【０００４】
この発明の一局面に従ったハンドルはねじによって本体に締結可能であり、少なくとも２つの受け部を有する主要輪郭部品と、ねじのうちの１つを受けるためのねじ穴を各々有する少なくとも２つのスロットナットとを含む。１つのスロットナット（溝石とも呼ばれ得る）は各々、受け部に挿入可能であり、本体を通過するねじがねじ穴にねじ込まれる際に受け部にクランプ可能である。スロットナットのクランピングは、主要輪郭部品を本体の表面の方向に引張って主要輪郭部品を本体に固定する引張応力を生成できる。
【０００５】
特に、この発明に従ったハンドルが提案され、それは、２つの受け部を端に有する主要輪郭部品を有し、受け部は好ましくは互いに向かって傾斜するように延在し、ハンドルはさらに、ねじを受けるためのそれぞれのねじ穴を各々有する少なくとも２つのスロットナットを有し、スロットナットの各々はそれぞれの受け部に挿入されるようにデザインまたは形成され、スロットナットの外側輪郭断面の少なくとも一部は、受け部のそれぞれの内側輪郭断面に適合される。
【０００６】
この発明によれば、スロットナットの各々をそれぞれの受け部に挿入し、本体を通過するそれぞれのねじがそれぞれのねじ穴にねじ込まれる際にスロットナットをそこに締結することにより、ハンドルは本体にしっかりと固定可能であり、しっかりと固定されたスロットナット間に主要輪郭部品がクランプされるようになっている。該当する場合、少なくともねじがねじ込まれている間、主要輪郭部品に対して引張応力が本体の表面の方向に加わる。
【０００７】
ねじ穴を有するスロットナットの使用により、ハンドルのデザインをシンプルにすることができ、本体へのハンドルの組立てをシンプルにすることができる。
【０００８】
ハンドルが搭載されると、スロットナットは有利には、引張応力が、互いに反対でありかつ本体の表面と平行に走る方向に作用する成分を有するように、受け部に対して整列される。このように、ハンドルの固有の剛性および本体への取付けの安定性を向上させることが可能である。
【０００９】
主要輪郭部品は第１の端部と第２の端部とを有することができ、少なくとも一方のスロットナットは、第１の端部において摺動可能に搭載され、少なくとも一方のスロットナットは、第２の端部において摺動可能に搭載される。したがって、スロットナットはシンプルなやり方で主要輪郭部品に挿入可能であり、または主要輪郭部品から取外し可能である。
【００１０】
主要輪郭部品は第１の湾曲部と第２の湾曲部とを有することができる。ここでは、第１の端部は第１の湾曲部の区域に位置し、第２の端部は第２の湾曲部の区域に位置することができる。その結果、主要輪郭部品全体がこのように一体に生成可能であるため、ハンドルは、特にシンプルなやり方で生成可能である。
【００１１】
少なくとも一方のスロットナットは台形断面を有することができ、スロットナットを摺動可能に受ける対応する受け部も、スロットナットの台形断面に対応する台形断面を有することができる。台形断面によって、主要輪郭部品４におけるスロットナットの特に良好なクランピングが保証される。
【００１２】
これは特に、ねじ穴が、少なくとも一方のスロットナットを、台形の第１の辺から台形の第１の辺とは反対の（好ましくは第１の辺に直角の）第２の辺へと通って延在し、ねじ穴の方向と、台形の第３の辺および第３の辺とは反対の第４の辺とが、各々の場合、０を上回る、および／または９０°未満の角度を囲むようになっている場合にあてはまる。ねじ穴はここでは、スロットナットを、第１の辺から第２の辺へと、またはスロットナット内部のねじ端まで十分に通って走ることができる。
【００１３】
ハンドル１は有利には、以下のようにデザイン可能である。主要輪郭部品は、第１の端の領域に第１の中空体状部分（第１の湾曲部の一部）を有し、第２の端の領域に第２の中空体状部分（第２の湾曲部の一部）を有することができ、本体の表面に面する、第１の中空体状部分の第１の側方領域（表面領域）と、表面とは、９０°を上回る角度を形成し、表面に面する、第２の中空体状部分の第２の側方領域（表面領域）と、表面とは、９０°未満の角度を形成する。
【００１４】
第１のスロットナットは、第１の中空体状部分において摺動可能に搭載可能であり、第２のスロットナットは、第２の中空体状部分において摺動可能に搭載可能である。第１のスロットナットを表面に締結するために、第１のねじが、第１のねじがねじ込まれ得る第１のスロットナットのねじ穴によって、第１のスロットナットに接続可能であり、第２のスロットナットを表面に締結するために、第２のねじが、第２のねじがねじ込まれ得る第２のスロットナットのねじ穴によって、第２のスロットナットに接続可能である。
【００１５】
第１のねじが第１のスロットナットに接続されると、力が第１のスロットナットに加わって、第１の側方領域に対して第１のスロットナットを表面の方向に押し付け、第２のねじが第２のスロットナットに接続されると、力が第２のスロットナットに加わって、第２の側方領域に対して第２のスロットナットを表面の方向に押し付ける。
【００１６】
第１のスロットナット／第２のスロットナットが第１のねじ／第２のねじに接続されると、本体の表面に面する第１のスロットナット／第２のスロットナットの一辺（「底辺」）は、表面と平行に整列され得る。
【００１７】
第１のスロットナット／第２のスロットナットが第１のねじ／第２のねじに接続されると、第１のスロットナット／第２のスロットナットの底辺は、主要輪郭部品の第１の端／第２の端と同一平面上であり得る。このため、本体の表面に主要輪郭部品が載っている表面積を増加させることが可能であり、その結果、本体の表面上のくぼみを回避することができる。
【００１８】
ねじ穴は、第１のスロットナット／第２のスロットナットにおいて、第１のスロットナット／第２のスロットナットの底辺に直角に整列され得る。さらに、第１のスロットナット／第２のスロットナットが第１のねじ／第２のねじに接続されると、ねじ穴は、本体の表面に直角に整列され得る。
【００１９】
ねじごとにブッシュを設けることができ、ブッシュは本体を貫通してそれに取付けられ、各ねじは適切なブッシュに挿入可能であり、ねじは、端が主要輪郭部品に面することによって適切なスロットナットのねじ穴に挿入可能であり、主要輪郭部品から遠い方に面する端に止め具を有し、前記止め具は、ねじがブッシュに挿入されると、主要輪郭部品から遠い方に面するブッシュ端に当たる。この実施形態では、第１のスロットナット／第２のスロットナットが第１のねじ／第２のねじに接続されると、第１のスロットナット／第２のスロットナットの底辺は、主要輪郭部品に面するブッシュ端に載ることができる。このように主要輪郭部品／第１のスロットナット／第２のスロットナットは必ずしも本体に載る必要がないため、該当する場合、本体の表面上のくぼみを回避することができる。
【００２０】
第１の中空体状部分／第２の中空体状部分および第１のスロットナット／第２のスロットナットは、第１のスロットナット／第２のスロットナットが、第１の中空体状部分／第２の中空体状部分において表面に対して傾斜した方向に摺動可能であるものの、第１の締結要素／第２の締結要素に接続されると、第１の側方領域（表面領域）／第２の側方領域（表面領域）と交差する方向に引張られるように、デザイン可能である。その結果、第１のスロットナット／第２のスロットナットは第１の側方領域／第２の側方領域に対して押し付けられ、それは引張応力を生成するために必要である。
【００２１】
たとえばスロットナットが主要輪郭部品の中央領域を通って摺動できないように、中央領域における基本輪郭の断面輪郭は、湾曲部のものとは異なるやり方でデザイン可能である。したがって、ハンドルの組立てを単純化することができる。
【００２２】
有用な一実施形態によれば、主要輪郭部品は、受け部のうちの一方を含む第１の端部と、他方の受け部を含む第２の端部とを有し、端部は互いに向かって傾斜するように延在し、ねじによる締結前に、スロットナットのうちの一方は、挿入後、主要輪郭部品の第１の端部において摺動可能に搭載され、ねじによる締結前に、スロットナットのうちの他方は、挿入後、主要輪郭部品の第２の端部において摺動可能に搭載される。
【００２３】
ここで、受け部のうちの一方の（特に、輪郭断面に直角の、および／または本体の表面に直角の平面における）長手方向断面の少なくとも３つの辺は第１の台形形状を有し、第１の台形形状の第１の辺は主要輪郭部品の端の開口部に対応し、第１の台形形状の少なくとも３つの辺はさらに、第１の台形の第３の辺および第３の辺とは反対の第４の辺を含み、第１の台形形状の第３および第４の辺は受け部の壁部に対応する、ということも好ましい。
【００２４】
スロットナットのうちの一方の（特に、輪郭断面に直角の、および／または本体の表面に直角の平面における）長手方向断面の少なくとも３つの辺は好ましくは第２の台形形状を有し、第２の台形形状の第１の辺はねじ穴を有し、ねじ穴は、第２の台形の第１の辺から、スロットナットの第１の辺とは反対の第２の辺へと走り、第２の台形形状の少なくとも３つの辺はさらに、第２の台形の第３の辺および第３の辺とは反対の第４の辺を含む。
【００２５】
スロットナットは好ましくは、主要輪郭部品の端の開口部を通って対応する受け部に挿入可能であり、挿入後、対応する受け部において、第１および／または第２の台形形状の平行に延在する第２および第３の辺の方向に摺動可能に搭載される。
【００２６】
ねじ穴の方向は好ましくは、直角の角度で第１および／または第２の台形の第１の辺に実質的に整列され、ねじ穴の方向と、好ましくは第１および／または第２の台形の第３の辺および第３の辺とは反対の第４の辺とが、各々の場合、０を上回る、および／または９０度未満の角度（アルファ）を囲む。
【００２７】
締結されると、スロットナットは好ましくは、スロットナットの台形形状の第１の辺を介して本体に面するように、ねじ穴にねじ込まれたねじによって固定されており、スロットナットの台形形状の長手方向が互いに向かって傾斜し、主要輪郭部品が、２つのスロットナットの台形形状の第３および第４の辺によって、スロットナット間にクランプされるようになっている。
【００２８】
さらに別の、特に有用な一実施形態によれば、スロットナットのうちの第１のスロットナットは、受け部のうちの第１の受け部に、第１のスロットナットが第１の受け部において受け部の第１の方向に摺動可能であるように（より好ましくは、第１の方向にのみ摺動可能であるように、すなわち、第１の方向を横切る他の方向において確実な態様で回転できず、および／または阻止されるように）端で挿入可能である。さらに、スロットナットのうちの第２のスロットナットも好ましくは、受け部のうちの第２の受け部に、第２のスロットナットが第２の受け部において受け部の第２の方向に摺動可能であるように（より好ましくは、第２の方向にのみ摺動可能であるように、すなわち、第２の方向を横切る他の方向において確実な態様で回転できず、および／または阻止されるように）端で挿入可能である。
【００２９】
第１の方向と第２の方向とは好ましくは、互いに向かって傾斜する。これはハンドルまたは主要輪郭部品を締結状態に阻止し、それは、受け部に受けられた双方のスロットナットがねじによって本体にねじ込まれるとすぐに、確実な係合によってスロットナット間にしっかりとクランプされる。
【００３０】
第１の方向と第２の方向とは好ましくは、（本体側で）実質的に３０〜１２０度の角度、より好ましくは５０〜１００度の角度を囲む。
【００３１】
この発明を、例示的な一実施形態において、図面を参照して以下により詳細に説明する。
【図面の簡単な説明】
【００３２】
【図１】この発明の一実施形態に従ったハンドルの一部の斜視断面図である。
【図２】この発明の一実施形態に従ったハンドルの一部の斜視断面図である。
【図３Ａ】固定された状態の、この発明の一実施形態に従った固定機構を通る概略断面図である。
【図３Ｂ】固定されていない状態の、この発明の図３Ａに従った実施形態に従った固定機構を通る概略断面図である。
【図４Ａ】図１および図２に示すハンドルの側面図である。
【図４Ｂ】図４Ａに従ったハンドルの上面図である。
【図４Ｃ】図４Ａに示された断面Ａ−Ａに沿った、図４Ａに従ったハンドルの断面図である。
【図４Ｄ】視方向Ｘにおける、断面Ａ−Ａに沿った、図４Ａに従ったハンドルの断面図である。
【図４Ｅ】図４Ａに従ったハンドルの端の上面図である。
【図５Ａ】図１に示すスロットナットの一実施形態の斜視図である。
【図５Ｂ】図５Ａに示すスロットナットの側面図（長手方向断面形状に対応）である。
【図５Ｃ】図５Ｂに示す断面Ａ−Ａに沿った、図５Ａに示すスロットナットの断面図である。
【図６】工作機械のドアに搭載された、図４Ａに示すハンドルの斜視図である。
【発明を実施するための形態】
【００３３】
図中、同一のまたは整合する区域、構成要素、または構成要素の組立ては、同じ参照符号によって示される。
【００３４】
図１および図４Ａは、この発明の一実施形態に従ったハンドル１を示す。ハンドル１はねじ３によって本体２に締結可能であり、２つの受け部５を有する主要輪郭部品４と、ねじ３のうちの１つを受けるためのねじ穴７を各々有する２つのスロットナット６とを含む。
【００３５】
１つのスロットナット６は各々、受け部５に挿入され、本体２を通過するねじ３がねじ穴７にねじ込まれる際に受け部５にクランプ可能である。スロットナット６のクランピングは、主要輪郭部品４を本体２の表面８の方向に引張って主要輪郭部品を本体２に固定する引張応力Ｚを生成する。
【００３６】
図１は、一例として、主要輪郭部品４の一方端のみを示す。図４Ａに示すような主要輪郭部品４の他方端は、図１と同様にデザインされている（特に、両端は、一例として対称形であり、特に、中央部３０に直角に延在する平面に対して対称的に形成されている）。
【００３７】
ねじ穴７を有するスロットナット６の使用により、ハンドル１のシンプルなデザインおよび本体２へのハンドル１のシンプルな組立てが可能である。
【００３８】
ハンドル１が搭載されると、スロットナット６は有利には、引張応力が、互いに反対でありかつ本体２の表面８と平行に延在する方向に作用する成分Ｚ１、Ｚ２を含むように、受け部５に対して整列される。このように、ハンドル１の固有の剛性および本体２への取付けの安定性を向上させることができ、ハンドルをスロットナット６間にしっかりとクランプすることができる。
【００３９】
図４Ａに示すように、主要輪郭部品４は第１の端部９と第２の端部１０とを有し、少なくとも一方のスロットナット６は、第１の端部９において（方向Ｒ１に）摺動可能に搭載され、少なくとも一方のスロットナット６は、第２の端部１０において（方向Ｒ２に）摺動可能に搭載される。したがって、スロットナット６は容易に主要輪郭部品４に挿入可能であり、または主要輪郭部品４から取外し可能である。
【００４０】
主要輪郭部品４は第１の湾曲部１１と第２の湾曲部１２とを有する。ここでは、第１の端部９は第１の湾曲部１１の領域に位置し、第２の端部１０は第２の湾曲部１２の領域に位置する。その結果、主要輪郭部品４全体がこのように一体に生成可能であるため、ハンドル１は、特にシンプルなやり方で生成可能である。
【００４１】
ハンドル１の側面図、すなわち図４Ａ、図３Ａ、および図３Ｂの視方向において、スロットナット６は、図５Ｂにも示すように（図５Ｂの側面図は長手方向断面に対応）、台形断面（長手方向断面であり、輪郭断面と混同されてはならない）を有する。ここでは、少なくとも３つの辺が台形形状をたどり、主要輪郭部品の内部に露出されるスロットナットの一辺は形が限定されておらず、実質的に要望通りにデザイン可能である、ということが特に意図されている。
【００４２】
スロットナット６を摺動可能に受ける対応する受け部５も、側面図、すなわち図４Ａ、図３Ａ、および図３Ｂの視方向において、たとえば図１に示すような、スロットナット６の台形断面に対応する台形断面（長手方向断面であり、輪郭断面と混同されてはならない）を有する。しかしながら、ここでは、台形の２つの辺のみが輪郭壁によって制限され、第３の辺はハンドル１または主要輪郭部品４の端開口部に対応し、主要輪郭部品の内部に露出された台形の一辺は、想像上の辺を表わす。
【００４３】
少なくとも３つの辺で台形形状を有する断面によって、スロットナット６の特に良好なクランピング効果が、主要輪郭部品４において保証される。これは特に、ねじ穴７が、スロットナット６を、台形の第１の辺１３から台形の第１の辺とは反対の第２の辺１４へと通って延在し、ねじ穴７の方向と、台形の第３の辺１５および第３の辺とは反対の第４の辺１６とが、各々の場合、角度アルファ＞０（および好ましくは９０°未満）を囲むようになっている（すなわち、第３の辺１５および第４の辺１６と平行に走っていない）場合にあてはまる。
【００４４】
図３Ａは、固定された状態の、この発明の一実施形態に従った固定機構を通る概略断面図（長手方向断面であり、輪郭断面と混同されてはならない）を示し、 図３Ｂは、固定されていない状態の、この発明の図３Ａに従った実施形態に従った締結機構を通る概略断面図を示す。これらの図は、固定機構の原理を示す。
【００４５】
図３Ｂに示すように、上述の実施形態に従ったスロットナット６は好ましくは、長手方向断面が台形形状であり、ねじ穴７は、スロットナット６の台形形状の外辺に直角に形成される。スロットナット６の外辺は、本体２の表面と平行に整列されるように主要輪郭部品４の端部に挿入可能であり、挿入されると、主要輪郭部品４の端部の内側輪郭において端部の輪郭のそれぞれの長手方向Ｒ１またはＲ２に（すなわち、輪郭断面に常に直角に）自由に変位または摺動可能である。ここでの「互いに向かって傾斜する」とは、特に、それらが平行に延在していないということを意味する。
【００４６】
図３Ａに従った締結された状態では、スロットナット６は、ねじ３によって本体にしっかりと固定され、主要輪郭部品４の端部の内部で延在する。ここで、スロットナット６の外辺は、一例として、本体２の表面に載り（しかしながら、ワッシャーなどにも載ることができる）、スロットナットの内辺は、主要輪郭部品４の内壁に接触している。そのようなハンドル１の本体４は、本体２に直接締結されないが、スロットナット６間にしっかりとクランプされる。
【００４７】
図３Ａの上方スロットナット６は、下方スロットナット６が締結されない限り、本体４が方向Ｒ１に取外されるように、方向Ｒ１にのみ摺動可能となるように搭載され、図３Ａの下方スロットナット６は、上方スロットナット６が締結されない限り、本体４が方向Ｒ２に取外されるように、方向Ｒ２にのみ摺動可能となるように搭載され、２つの方向Ｒ１およびＲ２は平行に走っておらず、特に互いに横切るように走っているため、方向Ｒ１およびＲ２における本体４のそれぞれの可動性は、各々の場合、下方および上方スロットナット６による確実な係合でそれぞれ阻止され、ハンドル１は、スロットナット６間に本体をクランプすることによってしっかりと固定される。
【００４８】
図４Ａに従った実施形態では、一例として軸対称になるようデザインされたハンドル１は、好ましくは以下のように作られ得る。主要輪郭部品４は、第１の端１７の領域に第１の中空体状部分２１（第１の湾曲部１１の一部）を有し、第２の端１８の領域に第２の中空体状部分２２（第２の湾曲部１２の一部）を有し、本体２の表面８に面する、第１の中空体状部分２１の第１の側方領域（表面領域）１９と、表面８とは、９０°を上回る角度ベータ１を形成し、表面８に面する、第２の中空体状部分２２の第２の側方領域（表面領域）２０と、表面８とは、９０°未満の角度ベータ２を形成する。
【００４９】
第１のスロットナット６は、第１の中空体状部分２１において摺動可能に搭載され、第２のスロットナット６は、第２の中空体状部分２２において摺動可能に搭載される。第１のスロットナット６を表面８に締結するために、第１のねじ３が、第１のねじ３がねじ込まれ得る第１のスロットナット６のねじ穴７によって、第１のスロットナット６に接続可能であり、第２のスロットナット６を表面８に締結するために、第２のねじ３が、第２のねじ３がねじ込まれ得る第２のスロットナット６のねじ穴７によって、第２のスロットナット６に接続可能である。第１のねじ３が第１のスロットナット６に接続されると、力Ｚが第１のスロットナット６に加わって、第１の側方領域１９に対して第１のスロットナット６を表面８へ向かう方向に押し付け、第２のねじ３が第２のスロットナット６に接続されると、力Ｚが第２のスロットナット６に加わって、第２の側方領域２０に対して第２のスロットナット６を表面８の方向に押し付ける。
【００５０】
図１では、第１のスロットナット／第２のスロットナット６が第１のねじ／第２のねじ３に接続されると、第１のスロットナット／第２のスロットナット６の「底辺」１３は、表面８と平行に整列される。加えて、第１のスロットナット／第２のスロットナット６が第１のねじ／第２のねじ３に接続されると、第１のスロットナット／第２のスロットナット６の「底辺」１３は、主要輪郭部品４の第１の端１７／第２の端１８と同一平面上にある。したがって、本体２の表面８にハンドル１が載っている表面積を増加させることが可能であり（主要輪郭部品４の端だけではなく第１のスロットナット／第２のスロットナット６も表面８に載るため）、その結果、本体２の表面８上のくぼみを回避することができる。
【００５１】
図１に開示されているように、ねじ穴７は、第１のスロットナット／第２のスロットナット６において、本体の表面８に面する第１のスロットナット／第２のスロットナット６の底辺１３に直角に整列される。さらに、第１のスロットナット／第２のスロットナット６が第１のねじ／第２のねじ３に接続されると、ねじ穴７は、本体２の表面８に直角に整列される。
【００５２】
図２に示すように、この発明のさらなる実施形態では、ねじ３ごとにブッシュ２３を設けることができ、前記ブッシュは本体２を貫通してそれに締結され、各ねじ３は対応するブッシュ２３に挿入可能であり、ねじ３は、端２４が主要輪郭部品４に面する状態で対応するスロットナット６のねじ穴７に挿入可能であり、主要輪郭部品４から遠い方に面する端２５に止め具２６を有し、止め具は、ねじ３がブッシュ２３に挿入されるとブッシュ２３の端２７に当たり、前記端は、主要輪郭部品４から遠い方に面している。
【００５３】
この実施形態では、第１のスロットナット／第２のスロットナット６が第１のねじ／第２のねじ３に接続されると、第１のスロットナット／第２のスロットナット６の底辺１３は、ハンドル本体に面するブッシュ２３の端２８に載ることができる。したがって、主要輪郭部品４は本体２の表面８に直接載る必要はなく、その結果、表面８は、ハンドル１の締結時に損傷を受けることなく、傷つきやすい材料から作ることができる。たとえば、図２に示すように、本体２の表面８は、傷つきやすいガラス層２９または別の光学的に魅力的な材料で構成され得る。
【００５４】
第１の中空体状部分２１／第２の中空体状部分２２および第１のスロットナット／第２のスロットナット６は、第１のスロットナット／第２のスロットナット６が、第１の中空体状部分２１／第２の中空体状部分２２において表面８に対して傾斜した方向Ｒ１／Ｒ２に摺動可能であるものの、それが第１のねじ／第２のねじ３に接続されると、それは第１の側方領域１９／第２の側方領域２０と交差する方向Ｒ３に引張られるように、デザイン可能である。
【００５５】
スロットナット６が主要輪郭部品４の中央領域３０を通って摺動できないように、中央領域３０における主要輪郭部品４の断面は、湾曲部１１、１２の領域とは異なり得る。したがって、第１のスロットナット／第２のスロットナット６は中空体状部分２２／２３から中央領域３０に移動できないため、ハンドル１の組立てを単純化することができる。
【００５６】
図５Ａは、図５Ｂに従った視方向Ｘからの、図１に示すスロットナット６の一実施形態の斜視図を示す。スロットナットの側１３は、図１、図２および図３Ａで本体２の表面に載っているスロットナット６の外辺を表わし、図５Ａにはねじ穴７の入口開口部が示されている。挿入されると、スロットナット６の表わされた側１６は、主要輪郭部品４の端部／受け部５の内壁と少なくとも部分的に接触している（たとえば図１参照）。
【００５７】
図５Ｂは、図５Ａに示すスロットナットの側面図（長手方向断面形状に対応）を示し、ここではスロットナット６の長手方向断面形状が示され、それはたとえば台形形状を有する。
【００５８】
図５Ｃは、図５Ｂに示す断面Ａ−Ａに沿った、図５Ａに示すスロットナットの輪郭断面図である。挿入されると、スロットナット６は、主要輪郭部品４の端の端部または受け部において、図５Ｃの視方向に直角に（すなわち、図５Ｂの断面軸Ａ−Ａに直角に）方向Ｒ１またはＲ２に摺動可能である。スロットナット６の輪郭はここでは、本体４の断面輪郭に少なくとも部分的に適合されている（たとえば図４Ｃ参照）。
【００５９】
図５Ｃに従ったスロットナット６の輪郭は、図４Ｃからの本体４の断面輪郭に対応していないが、それは、輪郭の長手方向を中心とするスロットナット６の回転を阻止するように本体４の断面輪郭に適合されている。これは、この実施形態に従ったハンドル１の剛性およびしっかりした取付けの強度を有利なやり方でさらに向上させ、取付けの安定性を高める。ハンドルの組立ても容易になる。なぜなら、スロットナット６は、スロットナットが挿入されるとすでにスロットナット６の外辺１３およびねじ穴７が双方とも本体の表面に対して適正に整列されるように、かつ、ねじ３によって取付けが行なわれる前の挿入状態でも、それらが、適正な整列を失くすような主要輪郭部品４の内部におけるスロットナット６の回転によって歪められないように、主要輪郭部品４の端部に挿入可能であるためである。
【００６０】
最後に、図６は、工作機械４０のドア４１に搭載された、図４Ａに示すハンドル１の斜視図を示す。
【００６１】
要約すると、この発明により、容易に生成可能であり、ほんのいくつかの個別部品を有するシンプルなデザインを有し、わずかな労力で同時に搭載可能であり、かつ、取付後、しっかりと安定した態様で本体に固定される、ハンドルを提供することが可能である。
【図１】
0006560226.tif 000002
【図２】
0006560226.tif 000003
【図３Ａ】
0006560226.tif 000004
【図３Ｂ】
0006560226.tif 000005
【図４Ａ】
0006560226.tif 000006
【図４Ｂ】
0006560226.tif 000007
【図４Ｃ】
0006560226.tif 000008
【図４Ｄ】
0006560226.tif 000009
【図４Ｅ】
0006560226.tif 000010
【図５Ａ】
0006560226.tif 000011
【図５Ｂ】
0006560226.tif 000012
【図５Ｃ】
0006560226.tif 000013
【図６】
0006560226.tif 000014